(57)【要約】【課題】大きなストロークで歯列に沿って動かして、複数の歯をまとめ磨きする場合でも、歯面部、及び歯間部や歯と歯茎の境目部分に、磨き残しが生じるのを抑制できる歯ブラシを提供する。【解決手段】先端に向かって断面積が減少するテーパー形状部分を備えるテーパーブリッスル１６ａと、テーパーブリッスル１６ａよりも低い毛丈の支持ブリッスル１６ｂとが、植毛台１１に植毛されている。支持ブリッスル１６ｂは、植毛面１１ａ側の基端部から、テーパーブリッスル１６ａのテーパー開始部１７ａを超える高さまで、柱状の形状を備えるブリッスルとなっており、テーパーブリッスル１６ａは、植毛台１１に分散配置されて、支持ブリッスル１６ｂに混在した状態で植毛されている。ブリッスル１６ａ，１６ｂの先端を連ねた仮想のテーパーブラシ面１８ａ及び仮想の支持ブラシ面１８ｂが、植毛台１１の長手方向Ｘの中央部分に谷部が形成された凹形状を有している。【選択図】図２
2017213221.tif 000002
【特許請求の範囲】
【請求項１】
先端に向かって断面積が減少するテーパー形状部分を先端側に備える複数本のテーパーブリッスルと、該テーパーブリッスルよりも低い毛丈の複数本の支持ブリッスルとが、植毛台に設けられた複数の植毛穴に植毛されている歯ブラシであって、
前記支持ブリッスルは、植毛穴側の基端部から、前記テーパーブリッスルのテーパー開始部を超える高さまで、柱状の形状を備えるブリッスルとなっており、
前記テーパーブリッスルは、前記植毛台に分散配置されて、前記支持ブリッスルに混在した状態で植毛されており、
かつ、前記支持ブリッスルの先端を連ねた仮想の支持ブラシ面が、前記植毛台の短手方向から見て、前記植毛台の長手方向の中央部分に谷部を備える凹形状である歯ブラシ。
【請求項２】
前記テーパーブリッスルの本数は、前記テーパーブリッスル及び前記支持ブリッスルの全体の本数の２０〜８０％の本数となっている請求項１記載の歯ブラシ。
【請求項３】
前記テーパーブリッスルは、外周部分の毛束によって囲まれる前記植毛台の内側領域に分散配置されて、前記支持ブリッスルに混在した状態で植毛されている請求項１又は２記載の歯ブラシ。
【請求項４】
前記テーパーブリッスルの先端を連ねた仮想のテーパーブラシ面が、前記植毛台の短手方向から見て、前記植毛台の長手方向の中央部分に谷部を備える凹形状である請求項１〜３の何れか１項記載の歯ブラシ。
【請求項５】
前記植毛台の長手方向の両側の端部から中央部分に向けて、前記テーパーブリッスル及び前記支持ブリッスルの毛丈が低くなっている請求項１〜４の何れか１項記載の歯ブラシ。
【請求項６】
前記植毛台の長手方向の先端側の先端側植毛領域に植毛されたブリッスルが、長手方向の基端側の基端側植毛領域に植毛されたブリッスルに対して、基端側に傾いて植毛されている請求項１〜５の何れか１項記載の歯ブラシ。
【請求項７】
前記植毛台の長手方向の先端側の先端側植毛領域が、長手方向の基端側の基端側植毛領域に対して、基端側に傾斜して設けられている請求項６記載の歯ブラシ。
【請求項８】
前記先端側植毛領域に植毛されたブリッスルが、前記基端側植毛領域に植毛されたブリッスルに対して、３〜１０°の角度で基端側に傾いて植毛されている請求項６又は７記載の歯ブラシ。
【請求項９】
前記テーパーブリッスルを束ねて形成された複数のテーパー毛束と、前記支持ブリッスルを束ねて形成された複数の支持毛束とが、別々の毛束として、前記植毛台に設けられた複数の植毛穴に各々植設されていることで、前記テーパーブリッスルが、前記植毛台に分散配置されて、前記支持ブリッスルに混在した状態で植毛されている請求項１〜８のいずれか１項記載の歯ブラシ。
【請求項１０】
前記支持毛束は、前記テーパー毛束の周囲に隣接して配置されており、各々の前記テーパー毛束の周囲に隣接する、前記テーパー毛束及び前記支持毛束の数の総和に対する、各々の前記テーパー毛束の周囲に隣接する、前記支持毛束の数の総和の割合が、６０％以上となるように、前記テーパー毛束が分散して植設されている請求項９記載の歯ブラシ。
【発明の詳細な説明】
【技術分野】
【０００１】
本発明は、歯ブラシに関し、特に、複数本のテーパーブリッスルと複数本の支持ブリッスルとが植毛されている歯ブラシに関する。
【背景技術】
【０００２】
歯ブラシは、複数本のブリッスルを束ねて形成された毛束（タフト）を、例えば植毛台の植毛面に設けられた複数の植毛穴に、平線を打ち込む方法や熱で融着させる方法等によって植設固定することにより得られる。歯ブラシは、前歯、奥歯等の歯の種類や、歯間部、歯面部、歯頸部、歯裏部等の歯の部位に応じた適切な刷掃を効率良く行って、歯垢等を効果的に除去できるように、また刷掃時に良好な感触が得られるように、毛束の配置やブリッスルの毛先の形状等に様々な工夫がなされている。
【０００３】
また、毛束を構成するブリッスルの毛先の形状として、先端に向かって断面積を減少させたテーパー形状部分を先端側に備えるテーパーブリッスルを用いた歯ブラシが、種々開発されている（例えば、特許文献１、特許文献２、特許文献３参照）。これらのテーパーブリッスルを植毛した歯ブラシは、歯間部や歯と歯茎の境目部分の歯垢の除去効果を高めると共に、歯茎への優しい感触が得られるようなっている。
【先行技術文献】
【特許文献】
【０００４】
【特許文献１】特開２００４−１４８０９５号公報
【特許文献２】特表２０１２−５１１９４３号公報
【特許文献３】特表２０１２−５１１９４４号公報
【発明の概要】
【発明が解決しようとする課題】
【０００５】
一方、歯の刷掃を行う場合に、歯ブラシを個々の歯に対して小さなストロークで小刻みに磨くことが好ましとされているが、実際には、歯ブラシを大きなストロークで歯列に沿って直線状に動かして、複数の歯をまとめてまとめ磨きする人が多い。複数の歯をまとめ磨きすると、歯間部の奥や、歯と歯茎の境目部分にブリッスルの毛先が届き難くなって、これらの部分に磨き残しを生じやすい。歯間部や歯と歯茎の境目部分の刷掃効果を高めるために、テーパーブリッスルを植毛した歯ブラシを用いると、テーパーブリッスルは柔らかく撓み易いブリッスルであるため、大きなストロークで歯ブラシを動かした際に、先細りの先端部分が撓み過ぎることになって、却って磨き残しを生じ易くなる。
【０００６】
本発明は、大きなストロークで歯列に沿って直線状に動かして、複数の歯をまとめ磨きする場合でも、歯面部、及び歯間部や歯と歯茎の境目部分に、磨き残しが生じるのを効果的に抑制することのできる歯ブラシに関する。
【課題を解決するための手段】
【０００７】
本発明は、先端に向かって断面積が減少するテーパー形状部分を先端側に備える複数本のテーパーブリッスルと、該テーパーブリッスルよりも低い毛丈の複数本の支持ブリッスルとが、植毛台に設けられた複数の植毛穴に植毛されている歯ブラシであって、前記支持ブリッスルは、植毛穴側の基端部から、前記テーパーブリッスルのテーパー開始部を超える高さまで、柱状の形状を備えるブリッスルとなっており、前記テーパーブリッスルは、前記植毛台に分散配置されて、前記支持ブリッスルに混在した状態で植毛されており、かつ、前記支持ブリッスルの先端を連ねた仮想の支持ブラシ面が、前記植毛台の短手方向から見て、前記植毛台の長手方向の中央部分に谷部が形成された凹形状を有している歯ブラシを提供することにより、上記目的を達成したものである。
【発明の効果】
【０００８】
本発明の歯ブラシによれば、大きなストロークで歯列に沿って直線状に動かして、複数の歯をまとめ磨きする場合でも、歯面部、及び歯間部や歯と歯茎の境目部分に、磨き残しが生じるのを効果的に抑制することができる。
【図面の簡単な説明】
【０００９】
【図１】本発明の好ましい一実施形態に係る歯ブラシの略示側面図である。
【図２】本発明の好ましい一実施形態に係る歯ブラシの要部を拡大して示す略示側面図である。
【図３】本発明の好ましい一実施形態に係る歯ブラシの要部を拡大して示す略示平面図である。
【図４】（ａ）、（ｂ）は、各々のテーパー毛束の周囲に隣接する、テーパー毛束及び支持毛束の数の総和に対する、各々のテーパー毛束の周囲に隣接する、支持毛束の数の総和の割合の算出方法の説明図である。
【図５】本発明の好ましい一実施形態に係る歯ブラシによる作用効果を説明する、テーパー毛束及び支持毛束の先端部分の拡大図である。
【図６】ブラッシングマシーンを説明する模式図である。
【図７】歯列への密着性の評価結果を示す図である。
【図８】犬歯から第２大臼歯までの顎模型の説明図である。
【図９】歯列における汚れの落ち方の評価結果を示す図である。
【発明を実施するための形態】
【００１０】
図１〜図３に示す本発明の好ましい一実施形態に係る歯ブラシ１０は、把持部１２と植毛台１１とこれらを連結する首部１３とからなる歯ブラシ本体の植毛台１１に設けられた複数の植毛穴１４ａ，１４ｂに、複数本のブリッスル１６ａ，１６ｂを束ねて形成された毛束（タフト）１５ａ，１５ｂを、各々植設（植毛）することによって構成される。本実施形態の歯ブラシ１０は、複数本の毛束１５ａ，１５ｂの先端によるブラシ面を、歯列に沿った形状となるようにすることに加えて、テーパーブリッスル１６ａを撓み難くすることにより、歯ブラシ１０を大きなストロークで歯列に沿って動かして、複数の歯をまとめ磨きする場合でも、歯面部、及び歯間部や歯と歯茎の境目部分に、磨き残しが生じるのを効果的に抑制できるようにする機能を備えている。
【００１１】
そして、本実施形態の歯ブラシ１０は、先端に向かって断面積が減少するテーパー形状部分を先端側に備える複数本のテーパーブリッスル１６ａと、テーパーブリッスル１６ａよりも低い毛丈の複数本の支持ブリッスル１６ｂとが、植毛台１１に設けられた複数の植毛穴１４ａ，１４ｂ（図３参照）に植毛されている。支持ブリッスル１６ｂは、植毛穴１４ｂ側の基端部から、テーパーブリッスル１６ａのテーパー開始部１７ａを超える高さまで、柱状の形状を備えるブリッスルとなっており（図２参照）、テーパーブリッスル１６ａは、植毛台１１に分散配置されて、支持ブリッスル１６ｂに混在した状態で植毛されている（図３参照）。支持ブリッスル１６ｂの先端を連ねた仮想の支持ブラシ面１８ｂが、植毛台１１の短手方向Ｙ（図３参照）から見て、植毛台１１の長手方向Ｘの中央部分に谷部が形成された凹形状を有している（図２参照）。
【００１２】
また、本実施形態では、好ましくはテーパーブリッスル１６ａの先端を連ねた仮想のテーパーブラシ面１８ａもまた、植毛台１１の短手方向Ｙから見て、植毛台１１の長手方向Ｘの中央部分に谷部を備える凹形状を有している。
【００１３】
さらに、本実施形態では、テーパーブリッスル１６ａを束ねて形成された複数のテーパー毛束１５ａと、支持ブリッスル１６ｂを束ねて形成された複数の支持毛束１５ｂとが、別々の毛束として、植毛台１１に設けられた複数の植毛穴１４ａ，１４ｂに各々植設されていることで、テーパーブリッスル１６ａが、植毛台１１に分散配置されて、支持ブリッスル１６ｂに混在した状態で植毛されている（図３参照）。
【００１４】
さらにまた、本実施形態では、植毛台１１の長手方向Ｘの両側の端部から中央部分に向けて、支持ブリッスル１６ｂの毛丈が低くなっている（図２参照）。これによって、支持ブリッスル１６ｂの先端を含む仮想の支持ブラシ面１８ｂが、植毛台１１の短手方向Ｙから見て、植毛台１１の長手方向Ｘの中央部分に谷部が形成された凹形状を有している。さらに本実施形態のように、植毛台１１の長手方向Ｘの両側の端部から中央部分に向けて、テーパーブリッスル１６ａについても、毛丈が低くなっていることが好ましい（図２参照）。これによって、仮想の支持ブラシ面１８ｂとともに仮想のテーパー１６ａの先端を含む仮想のテーパーブラシ面１８ａもまた、植毛台１１の短手方向Ｙから見て、植毛台１１の長手方向Ｘの中央部分に谷部を備える凹形状を有している。
【００１５】
また、本実施形態では、植毛台１１の長手方向Ｘの先端側の先端側植毛領域２０に植毛されたブリッスル１６ａ，１６ｂは、長手方向Ｘの基端側の基端側植毛領域２１に植毛されたブリッスル１６ａ，１６ｂに対して、傾倒角度θで基端側に傾いて植毛されている（図２参照）。これによって、本実施形態では、仮想のテーパーブラシ面１８ａ及び仮想の支持ブラシ面１８ｂが、植毛台１１の短手方向Ｙから見て、植毛台１１の長手方向Ｘの中央部分に谷部が形成された凹形状を有している。
【００１６】
さらに、本実施形態では、植毛台１１の長手方向Ｘの先端側の先端側植毛領域２０に植毛されたブリッスル１６ａ，１６ｂは、好ましくは植毛台１１の長手方向Ｘの先端側の先端側植毛領域２０が、長手方向Ｘの基端側の基端側植毛領域２１に対して、基端側に傾斜角度θ’で傾斜して設けられていることにより、長手方向Ｘの基端側の基端側植毛領域２１に植毛されたブリッスル１６ａ，１６ｂに対して、傾斜角度θ’と同様の傾倒角度θで基端側に傾いて植毛されている。
【００１７】
本実施形態では、歯ブラシ本体は、例えばポリプロピレン、アクリロニトリル、ブタジエン、スチレン共重合体等の合成樹脂を用いて、公知の成形方法により成形することができる。歯ブラシ本体の先端部分を構成する植毛台１１は、好ましくは、平面視においてトラック円形状の植毛面１１ａを備えており、植毛面１１ａに開口して、毛束１５ａ，１５ｂが植設される複数の植毛穴１４ａ，１４ｂが形成されている（図３参照）。
【００１８】
また、本実施形態では、植毛台１１の植毛面１１ａは、長手方向Ｘの中央部分を挟んで、先端側と基端側が折れ曲がった形状を備えており、折れ曲がった部分よりも先端側が先端側植毛領域２０、折れ曲がった部分よりも基端側が基端側植毛領域２１となっている。これによって、先端側植毛領域２０は、基端側植毛領域２１に対して、傾斜角度θ’（折曲り角度）で基端側に傾斜して設けられる。またこれによって、先端側植毛領域２０及び基端側植毛領域２１の各々に、後述するテーパーブリッスル１６ａを束ねて形成されたテーパー毛束１５ａや、支持ブリッスル１６ｂを束ねて形成された支持毛束１５ｂを、これらの植毛領域２０，２１の植毛面１１ａに対して垂直に植設することで、先端側植毛領域２０に植毛されたブリッスル１６ａ，１６ｂを、基端側植毛領域２１に植毛されたブリッスル１６ａ，１６ｂに対して、傾斜角度θ’と同様の傾倒角度θで基端側に傾けて植毛することが可能になる。
【００１９】
本実施形態では、複数の植毛穴１４ａ，１４ｂは、図３に示すように、先端側植毛領域２０及び基端側植毛領域２１の各々の領域において、植毛台１１の長手方向Ｘに所定の中心間ピッチで、各々直線状に連設して、植毛台１１の幅方向Ｙに複数列（本実施形態では７列）に配置されて設けられている。複数の植毛穴１４ａ，１４ｂは、テーパー毛束１５ａ（テーパーブリッスル１６ａ）を分散して配置しやすくし、且つテーパー毛束１５ａ（テーパーブリッスル１６ａ）があらゆる方向において支持毛束１４ｂ（支持ブリッスル１６ｂ）により支持されることで清掃性能を向上させる観点から、幅方向に隣接する各一対の穴列において、植毛台１１の長手方向Ｘに半ピッチ分ずれて設けられていることが好ましく、千鳥状に配置されていることが好ましい。
【００２０】
複数の植毛穴１４ａ，１４ｂは、本実施形態では、例えば０．８〜１．６ｍｍ程度の直径を有する、円形の植毛穴となっており、先端側植毛領域２０及び基端側植毛領域２１の各々の領域において、植毛台１１の長手方向Ｘに例えば１．５〜３．０ｍｍ程度の等しい中心間ピッチで配置されていると共に、植毛台１１の幅方向に隣接する各一対の穴列が、幅方向に例えば２．５〜４．０ｍｍ程度の等しい中心間ピッチで配置されている。また、ブラッシングする際に、テーパー毛束１５ａが支持毛束１５ｂと一体になり、テーパー毛束１５ａが支持毛束１５ｂに支持されやすくなる観点から、テーパー毛束１５ａが植設される植毛穴１４ａと支持毛束１５ｂが植設される植毛穴１４ｂの外縁間の最短距離は、好ましくは１．５ｍｍ以下であり、より好ましくは１．２ｍｍ以下である。植毛穴１４ａと植毛穴１４ｂの外縁間の最短距離は、０．５ｍｍ以上であってもよく、０．６ｍｍ以上であってもよく、０．８ｍｍ以上であってもよい。また、同様の観点から、植毛穴１４ａと植毛穴１４ｂの外縁間の最短距離は、好ましくは０．５〜１．５ｍｍであり、より好ましくは０．６〜１．２ｍｍであり、さらに好ましくは０．８〜１．２ｍｍである。
【００２１】
また、本実施形態では、先端側植毛領域２０において、植毛台１１の幅方向に７列に対称に配置された穴列のうち、中央の第１穴列は、５箇所の植毛穴１４ａ，１４ｂによって構成されており、第１穴列の植毛台１１の長手方向Ｘの先端側から１番目及び４番目の植毛穴は、テーパー毛束１５ａが植設されるテーパー植毛穴１４ａ（二重丸参照）となっている。先端側から２番目、３番目、及び５番目の植毛穴は、支持毛束１５ｂが植設される支持植毛穴１４ａ（白丸参照）となっている。
【００２２】
先端側植毛領域２０において、中央の第１穴列に隣接する、これの両側の一対の第２穴列は、各々５箇所の植毛穴１４ａ，１４ｂによって構成されており、第２穴列の植毛台１１の長手方向Ｘの先端側から２番目及び５番目の植毛穴は、テーパー毛束１５ａが植設されるテーパー植毛穴１４ａとなっている。先端側から１番目、３番目、及び４番目の植毛穴は、支持毛束１５ｂが植設される支持植毛穴１４ａとなっている。
【００２３】
先端側植毛領域２０において、一対の第２穴列の外側に各々隣接する、一対の第３穴列は、各々４箇所の植毛穴１４ａ，１４ｂによって構成されており、第３穴列の植毛台１１の長手方向Ｘの先端側から３番目の植毛穴は、テーパー毛束１５ａが植設されるテーパー植毛穴１４ａとなっている。先端側から１番目、２番目、及び４番目の植毛穴は、支持毛束１５ｂが植設される支持植毛穴１４ａとなっている。
【００２４】
先端側植毛領域２０において、一対の第３穴列のさらに外側に各々隣接する、最外側列である一対の第４穴列は、各々３箇所の植毛穴１４ａ，１４ｂによって構成されており、第４穴列の植毛台１１の長手方向Ｘの先端側から３番目の植毛穴は、テーパー毛束１５ａが植設されるテーパー植毛穴１４ａとなっている。先端側から１番目及び２番目の植毛穴は、支持毛束１５ｂが植設される支持植毛穴１４ａとなっている。
【００２５】
基端側植毛領域２１において、植毛台１１の幅方向に７列に対称に配置された穴列のうち、中央の第１穴列は、５箇所の植毛穴１４ａ，１４ｂによって構成されており、第１穴列の植毛台１１の長手方向Ｘの基端側から２番目及び５番目の植毛穴は、テーパー毛束１５ａが植設されるテーパー植毛穴１４ａ（二重丸参照）となっている。基端側から１番目、３番目、及び４番目の植毛穴は、支持毛束１５ｂが植設される支持植毛穴１４ａ（白丸参照）となっている。
【００２６】
基端側植毛領域２１において、中央の第１穴列に隣接する、これの両側の一対の第２穴列は、各々５箇所の植毛穴１４ａ，１４ｂによって構成されており、第２穴列の植毛台１１の長手方向Ｘの基端側から１番目及び４番目の植毛穴は、テーパー毛束１５ａが植設されるテーパー植毛穴１４ａとなっている。基端側から２番目、３番目、及び５番目の植毛穴は、支持毛束１５ｂが植設される支持植毛穴１４ａとなっている。
【００２７】
基端側植毛領域２１において、一対の第２穴列の外側に各々隣接する、一対の第３穴列は、各々５箇所の植毛穴１４ａ，１４ｂによって構成されており、第３穴列の植毛台１１の長手方向Ｘの基端側から２番目及び５番目の植毛穴は、テーパー毛束１５ａが植設されるテーパー植毛穴１４ａとなっている。基端側から１番目、３番目、及び４番目の植毛穴は、支持毛束１５ｂが植設される支持植毛穴１４ａとなっている。
【００２８】
先端側植毛領域２０において、一対の第３穴列のさらに外側に各々隣接する、最外側列である一対の第４穴列は、各々３箇所の植毛穴１４ａ，１４ｂによって構成されており、第４穴列の植毛台１１の長手方向Ｘの基端側から２番目の植毛穴は、テーパー毛束１５ａが植設されるテーパー植毛穴１４ａとなっている。先端側から１番目及び３番目の植毛穴は、支持毛束１５ｂが植設される支持植毛穴１４ａとなっている。
【００２９】
テーパー植毛穴１４ａに植設されるテーパー毛束１５ａは、例えば８〜６０本程度、好ましくは２０〜６０本程度の複数本のテーパーブリッスル１６ａを束ねて形成される。テーパーブリッスル１６ａは、先端に向かって断面積が減少するテーパー形状部分１７を先端側に備えていることで、毛先部分が先細りに形成されている。テーパーブリッスル１６ａは、好ましくは合成樹脂からなる。テーパーブリッスル１６ａを形成する合成樹脂としては、ブリッスルに用いられている公知の各種のものを、特に制限なく用いることができ、例えば、ナイロン（登録商標）等のポリアミド、ポリブチレンテレフタレート等のポリエステル、ポリオレフィン等が挙げられ、好ましくはポリブチレンテレフタレートを用いることができる。
【００３０】
テーパーブリッスル１６ａは、好ましくは円形の断面形状を有しており、テーパーブリッスル１６ａのテーパー形状部分１７を除いた部分（円柱状の部分）の直径は、例えば１３０〜２３０μｍとなっており、好ましくは１５０〜２００μｍとなっている。テーパーブリッスル１６ａのテーパー形状部分１７は、ブリッスルの先端部分を公知の研磨装置を用いて研磨することでテーパー状に先鋭加工したり、ブリッスルの先端部分を公知の溶解溶媒中に所定の深さまで浸漬することでテーパー状に先鋭加工したりすることによって、容易に設けることができる。テーパーブリッスル１６ａは、好適にはブリッスルの先端部分を溶解溶媒に浸漬して加工して設ける。テーパーブリッスル１６ａにおけるテーパー形状部分１７の長さは、５〜１０ｍｍとなっていることが好ましく、６〜８ｍｍとなっていることがさらに好ましい。
【００３１】
また、テーパー毛束１５ａは、後述する公知の植毛方法によって、植毛台１１の植毛面１１ａからテーパーブリッスル１６の先端までの高さ（植毛高さ）が、各々の毛束１５ごとの平均高さとして、例えば１０〜１４ｍｍとなるようにテーパー植毛穴１４ａに植設することができ、１１〜１３ｍｍとなるように植設することが好ましい。テーパー毛束１５ａは、毛束１５ａごとのブラッシング圧のばらつきを防止する観点から、植毛台１１の植毛面１１ａからテーパーブリッスル１６ａの先端までの高さの毛束１５ａごとの平均高さが、当該毛束１５ａごとの平均高さの最小値と最大値との差が３ｍｍ以下となるように植設されていることが好ましく、最小値と最大値との差が２．５ｍｍ以下となるように植設されていることがより好ましく、最小値と最大値との差が２ｍｍ以下となるように植設されていることがさらに好ましい。テーパー毛束１５ａは、テーパーブリッスル１６ａのテーパー形状部分１７が撓むのを防止する観点から、植毛台１１の植毛面１１ａに対して垂直又は略垂直な、９０度±１０度の角度で立設して植設されていることが好ましい。
【００３２】
本実施形態では、支持植毛穴１４ｂに植設される支持毛束１５ｂは、例えば８〜６０本程度の複数本の支持ブリッスル１６ｂを束ねることによって形成される。支持ブリッスル１６ｂは、テーパーブリッスル１６ａと同様に、好ましくは合成樹脂からなる。支持ブリッスル１６ｂを形成する合成樹脂としては、テーパーブリッスル１６ａと同様に、ブリッスルに用いられている公知の各種のものを、特に制限なく用いることができ、例えば、ナイロン（登録商標）等のポリアミド、ポリブチレンテレフタレート等のポリエステル、ポリオレフィン等が挙げられ、好ましくはナイロンを用いることができる。
【００３３】
支持ブリッスル１６ｂは、好ましくは円形の断面形状を有しており、好ましくは毛先が球状に加工されていることで、先端球状部１９を備えている。支持ブリッスル１６ｂの先端球状部１９を除いた部分の直径は、例えば１３０〜２３０μｍとなっており、好ましくは１５０〜２００μｍとなっている。すなわち、支持ブリッスル１６ｂは、植毛穴１４ｂ側の基端部から、先端部の先端球状部１９に至る高さまで、同様の断面積を有する、柱状の形状を備えるブリッスルとなっている。ここで、柱状とは、円柱状、四角柱状、多角柱状等が挙げられ、好ましくは円柱状である。同様の断面積とは、断面積が、植毛台１１の表面（植毛面１１ａ）における基端部の断面積に対して、±５％以内の相違に納まる断面積であり、より好ましくは±２％以内の相違に納まる断面積である。
【００３４】
支持ブリッスル１６ｂの先端球状部１９は、例えば植毛前にブリッスル一本一本を熱溶融する方法により、毛先を球状に加工することによって、支持ブリッスル１６ｂの先端部に容易に設けることができる。なお、支持ブリッスル１６ｂは、先端球状部１９を備える場合には、先端球状部１９の近傍の断面積が小さくなる場合もあるが、先端球状部１９の近傍まで柱状である（同様の断面積である）ことが好ましく、先端球状部１９から２ｍｍ離れた部分まで柱状であることが好ましい。支持ブリッスル１６ｂが先端球状部１９を備える場合には、テーパーブリッスル１６ａを十分に支持する観点から、柱状のブリッスルの先端を加工して先端球状部１９が形成されたものであることが好ましい。
【００３５】
また、支持毛束１５ｂは、後述する公知の植毛方法によって、テーパー毛束１５ａよりも低い植毛高さとなるように、植毛台１１の植毛面１１ａに植設されていると共に、先端球状部１９が設けられた支持ブリッスル１６ｂの先端が、テーパー毛束１５ａのテーパーブリッスル１６ａのテーパー開始部１７ａを超える高さに配置されるように植設されている。これによって、支持毛束１５ｂを形成する支持ブリッスル１６ｂは、植毛穴１４ｂ側の基端部から、テーパー毛束１５ａのテーパーブリッスル１６ａのテーパー開始部１７ａを超える高さまで、柱状の形状を備えるブリッスルとなっている。
【００３６】
支持ブリッスル１６ｂの柱状の形状を備える部分が、テーパー毛束１５ａのテーパーブリッスル１６ａのテーパー開始部１７ａを超える高さは（テーパー開始部１７ａよりも高い領域の長さは）、テーパー毛束１５ａを十分に支持しながら、支持毛束１５ｂによる歯面の清掃性能を確保する観点から、好ましくは２．５ｍｍ以上であり、より好ましくは３ｍｍ以上であり、さらに好ましくは３．５ｍｍ以上であり、またテーパー毛束１５ａによる清掃性能を向上する観点から、好ましくは６．５ｍｍ以下であり、より好ましくは６ｍｍ以下であり、さらに好ましくは５．５ｍｍ以下である。また、テーパー開始部１７ａの高さ（植毛台１１の表面からの高さ）は、好ましくは５ｍｍ以上であり、より好ましくは５．５ｍｍ以上であり、さらに好ましくは６ｍｍ以上であり、テーパー毛束１５ａがしなりながら清掃性能を発揮する観点から、好ましくは９ｍｍ以下であり、より好ましくは８．５ｍｍ以下であり、さらに好ましくは８ｍｍ以下である。
【００３７】
ここで、支持毛束１５ｂは、テーパー毛束１５ａよりも例えば０．５〜４ｍｍ低い植毛高さとなるように植設されており、テーパー毛束１５ａよりも１〜３ｍｍ低い植毛高さとなるように植設されていることが好ましい。これによって、テーパー毛束１５ａは、支持毛束１５ｂに支持させつつ、テーパーブリッスル１６ａの先端を歯の表面に接触させやすくすることが可能になる。
【００３８】
また、本実施形態では、支持毛束１５ｂを形成する支持ブリッスル１６ｂは、好ましくは毛先の高さがばらついた状態で植設されている。毛先の高さがばらついた状態とは、最も高いブリッスルの毛先と最も低いブリッスルの毛先が、好ましくは３ｍｍ以内の高さの相違で高さが異なっている状態であり、より好ましくは２ｍｍ以内の高さの相違で高さが異なっている状態である。あるいは、支持毛束１５ｂを形成する支持ブリッスル１６ｂは、各々の支持毛束１５ｂごとの支持ブリッスル１６ｂの高さ平均に対して、好ましくは±１．５ｍｍの範囲で、より好ましくは±１ｍｍの範囲で高さが異なるばらついた状態で植設されていることが好ましい。支持ブリッスル１６ｂが、毛先の高さがばらついた状態で植設されていることにより、複数の支持ブリッスル１６ｂの先端からなるブラシ面で同時にブラッシング圧を支えることになるのを抑制して、歯間への浸入性を向上させ、歯の曲面への追随性を向上させることが可能になる。
【００３９】
本実施形態では、各々の植毛穴１４ａ，１４ｂに毛束１５ａ，１５ｂを植設する方法としては、公知の各種の植毛方法を採用することができる。例えば、（１）毛束を平線で２つ折りにして打ち込む方法、（２）毛束の片端部を加熱して溶融塊を形成した後、その溶融塊を配置した金型内に溶融樹脂を注入して植毛台を射出形成する方法、（３）植毛孔（貫通孔）を有する植毛基部の該植毛孔に毛束を挿入する挿入工程、該植毛孔から突出する毛束の片端部を加熱して溶融塊を形成する熱加工工程、及び該溶融塊を被覆する被覆工程を経て、毛束が植設された状態の植毛台や歯ブラシを得る方法等を用いることができる。
【００４０】
そして、本実施形態では、テーパーブリッスル１６ａを束ねて形成された複数のテーパー毛束１５ａと、支持ブリッスル１６ｂを束ねて形成された複数の支持毛束１５ｂとが、植毛台１１に設けられた複数の植毛穴１４ａ，１４ｂに各々植設されていることで、テーパーブリッスル１６ａが、植毛台１１に分散配置されて、支持ブリッスル１６ｂに混在した状態で植毛されており、かつ、支持ブリッスル１６ｂの先端を連ねた仮想の支持ブラシ面１８ｂが、植毛台１１の短手方向Ｙから見て、植毛台１１の長手方向Ｘの中央部分に谷部が形成された凹形状を有している。好ましくは、仮想のテーパー１６ａの先端を含む仮想のテーパーブラシ面１８ａもまた、植毛台１１の短手方向Ｙから見て、植毛台１１の長手方向Ｘの中央部分に谷部を備える凹形状を有している。
【００４１】
また、本実施形態では、テーパーブリッスル１６ａ（テーパー毛束１５ａ）は、外周部分の毛束（テーパー毛束１５ａ及び毛束１５ｂ）によって周囲を囲まれる植毛台１１の内側領域３０（図３参照）に分散配置されて、支持ブリッスル１６ｂ（支持毛束１５ｂ）の間に混在した状態で植毛されている。
【００４２】
ここで、テーパーブリッスル１６ａが、植毛台１１に分散配置されて、支持ブリッスル１６ｂに混在した状態で植毛されているとは、テーパーブリッスル１６ａが、大きな集合として１箇所又は数箇所に偏在していることなく、支持ブリッスル１６ｂと入り混じった状態で植毛されていることであり、複数本のテーパーブリッスル１６ａがテーパー毛束１５ａとして、支持毛束１６ａの中に入り混じって混在している状態も含まれる。
【００４３】
また、植毛台１１に分散配置されたテーパーブリッスル１６ａの本数は、顎模型実験で示したように、歯面部と歯間部の歯垢除去性能を両立するという観点から、テーパーブリッスル１６ａ及び支持ブリッスル１６ｂの全体の本数の２０〜８０％の本数となっていることが好ましい。さらに、植毛台１１に分散配置されたテーパーブリッスル１６ａの本数は、歯間部の垢除去性能が顎模型実験の最大値に対して５０％以上を維持するという観点から、テーパーブリッスル１６ａ及び支持ブリッスル１６ｂの全体の本数の３０％以上の本数となっていることがより好ましい。さらにまた、植毛台１１に分散配置されたテーパーブリッスル１６ａの本数は、歯面部の垢除去性能が顎模型実験の最大値に対して５０％以上を維持するという観点から、テーパーブリッスル１６ａ及び支持ブリッスル１６ｂの全体の本数の２５％以下の本数となっていることがより好ましい。
【００４４】
本実施形態では、テーパーブリッスル１６ａ（テーパー毛束１５ａ）は、植毛台１１の先端側植毛領域２０及び基端側植毛領域２１において、植毛面１１ａから垂直又は略垂直に、植毛台１１の長手方向Ｘの両側の端部から中央部分に向けて毛丈が低くなるように植毛（植設）されており、また先端側植毛領域２０が、基端側植毛領域２１に対して基端側に傾斜角度θ’で傾斜して折れ曲がって設けられている。これらによって、テーパーブリッスル１６ａの先端を連ねた仮想のテーパーブラシ面１８ａは、植毛台１１の短手方向Ｙから見て、植毛台１１の長手方向Ｘの中央部分に、先端側植毛領域２０の傾斜角度θ’（傾倒角度θ）よりも大きな角度を１８０°から差し引いた内角θ”を有する谷部が形成された、Ｖ字形状の凹形状を有している（図２参照）。
【００４５】
本実施形態では、支持ブリッスル１６ｂ（支持毛束１５ｂ）もまた、植毛台１１の先端側植毛領域２０及び基端側植毛領域２１において、植毛面１１ａから垂直又は略垂直に、植毛台１１の長手方向Ｘの両側の端部から中央部分に向けて毛丈が低くなるように植毛（植設）されており、また先端側植毛領域２０が、基端側植毛領域２１に対して基端側に傾斜角度θ’で傾斜して折れ曲がって設けられている。これらによって、支持ブリッスル１６ｂの先端を連ねた仮想の支持ブラシ面１８ｂは、植毛台１１の短手方向Ｙから見て、植毛台１１の長手方向Ｘの中央部分に、先端側植毛領域２０の傾斜角度θ’（傾倒角度θ）よりも大きな角度を１８０°から差し引いた内角θ”を有する谷部が形成された、Ｖ字形状の凹形状を有している。
【００４６】
ここで、仮想のテーパーブラシ面１８ａ及び仮想の支持ブラシ面１８ｂの、植毛台１１の短手方向Ｙから見た凹形状は、Ｖ字形状の凹形状である必要は必ずしも無く、例えば円弧状に湾曲する凹形状であっても良い。円弧状に湾曲する凹形状の場合、谷部の内角θ”は、先端側植毛領域２０及び基端側植毛領域２１の各々の領域において、円弧状に湾曲する仮想のテーパーブラシ面１８ａ及び仮想の支持ブラシ面１８ｂの、各一対の弦方向の間の内角である。
【００４７】
また、仮想のテーパーブラシ面１８ａ及び仮想の支持ブラシ面１８ｂの、凹形状の谷部の内角θ”は、歯列のカーブに密着してブリッスル１６ａ，１６ｂが万遍なく当たるという観点から、１５０〜１７６°となっていることが好ましく、１６０〜１７２°となっていることがより好ましい。
【００４８】
さらに、本実施形態では、仮想のテーパーブラシ面１８ａ及び仮想の支持ブラシ面１８ｂの、先端側植毛領域２０及び基端側植毛領域２１の各々の領域における、端部側の植毛面１１ａからの高さが最も高い位置と、中央部分側の最も低い位置との差は、同じく歯列のカーブに密着してブリッスル１６ａ，１６ｂが万遍なく当たるという観点から、０．３〜１．５ｍｍとなっていることが好ましく、０．５〜１．２ｍｍとなっていることがより好ましい。
【００４９】
さらにまた、本実施形態では、植毛台１１の先端側植毛領域２０に植毛されたブリッスル１６ａ，１６ｂが、基端側植毛領域２１に植毛されたブリッスル１６ａ，１６ｂに対して、基端側に傾いて植毛されている傾倒角度θは、曲面モデル実験で示したように、歯列の曲面に対してより密着性を高めるという観点から、２〜１０°となっていることが好ましく、２〜５°となっていることがより好ましい。
【００５０】
本実施形態では、図３に示すように、支持毛束１５ｂは、テーパー毛束１５ａの周囲に隣接して配置されており、各々のテーパー毛束１５ａの周囲に隣接する、テーパー毛束１５ａ及び支持毛束１５ｂの数の総和に対する、各々のテーパー毛束１５ａの周囲に隣接する、支持毛束１５ｂの数の総和の割合（テーパー毛束分散率）が、６０％以上となるように、テーパー毛束１５ａが分散して植毛台１１の植毛面１１ａに植設されている。
【００５１】
テーパー毛束分散率は、テーパー毛束１５ａを支持毛束１５ｂ，１５ｃによって効果的に支持できるようにする観点から、好ましくは６０％以上であり、より好ましくは６５％以上であり、さらに好ましくは６８％以上である。またテーパー毛束分散率は、１００％以下であり、歯ブラシの設計性の観点から、好ましくは８５％以下である。
【００５２】
具体的には、図４（ａ）に示す本実施形態の歯ブラシ１０の場合は、各々のテーパー毛束１５ａが植設される２２個のテーパー植毛穴１４ａ（数字が書き込まれた丸参照）の周囲に隣接する、テーパー植毛穴１４ａ及び支持毛束１５ｂが植設される支持植毛穴１４ｂの数の総和は、１３２個となっており、したがって、各々のテーパー毛束１５ａの周囲に隣接する、テーパー毛束１５ａ，１５ｃ及び支持毛束１５ｂの数の総和もまた、１３２束となっている。
っている。
【００５３】
ここで、植毛穴１４ａ，１４ｂが千鳥状に配置されている場合、各々のテーパー植毛穴１４ａの周囲を囲んで隣接する植毛穴１４ａ，１４ｂの数は、通常は各々６個となるが、テーパー植毛穴１４ａが植毛台１１の外周部分に配置されていると、テーパー植毛穴１４ａの外側の周囲には、隣接する植毛穴１４ａ，１４ｂが存在しないことになる。このため、外周部分のテーパー植毛穴１４ａの外側に隣接させて、仮想のテーパー植毛穴１４ｃ（点線の丸参照）を配置した上で、これらの外周部分のテーパー植毛穴１４ａの外側に隣接する仮想の植毛穴１４ｃを含めた数として、各々のテーパー毛束１５ａの周囲に隣接する、テーパー植毛穴１４ａ，１４ｃ及び支持植毛穴１４ｂの数の総和を算出するようになっている。なお、図４（ａ）において、テーパー植毛穴１４ａを示す丸に書き込まれた数字は、各々のテーパー毛束１５ａの周囲に隣接するテーパー植毛穴１４ａ，１４ｃ及び支持植毛穴１４ｂの数を表している。
【００５４】
一方、本実施形態では、図４（ｂ）に示すように、各々のテーパー毛束１５ａが植設されるテーパー植毛穴１４ａ（数字が書き込まれた丸参照）の周囲に隣接する、支持毛束１５ｂが植設される支持植毛穴１４ｂの数の総和は、９４個となっており、したがって、各々のテーパー毛束１５ａの周囲に隣接する、支持毛束１５ｂの数の総和もまた、９４束となっている。
【００５５】
ここで、仮想のテーパー植毛穴１４ｃに植設されるテーパー毛束１５ｃは無視して、各々のテーパー毛束１５ａの周囲に隣接する、支持毛束１５ｂの数の総和を算出することができる。なお、図４（ｂ）において、テーパー植毛穴１４ａを示す丸に書き込まれた数字は、各々のテーパー毛束１５ａの周囲に隣接する支持植毛穴１４ｂの数を表している。
【００５６】
したがって、本実施形態では、各々のテーパー毛束１５ａの周囲に隣接する、テーパー毛束１５ａ，１５ｃ及び支持毛束１５ｂの数の総和に対する、各々のテーパー毛束１５ａの周囲に隣接する、支持毛束１５ｂの数の総和の割合（９４／１３２）は、７１％であることから、各々のテーパー毛束１５ａの周囲に隣接する、テーパー毛束１５ａ．１５ｃ及び支持毛束１５ｂの数の総和に対する、各々のテーパー毛束１５ａの周囲に隣接する、支持毛束１５ｂの数の総和の割合であるテーパー毛束分散率が、好ましくは６０％以上となるように、テーパー毛束１５ａが分散して植設されていることになる。
【００５７】
また、本実施形態では、植毛台１１の植毛面１１ａに、複数の植毛穴１４ａ，１４ｂが、植毛台１１の幅方向Ｙに７列に配置されており、これらの植毛穴１４ａ，１４ｂにテーパー毛束１５ａ及び支持毛束１５ｂが植設されることによって、テーパーブリッスル１６ａ及び支持ブリッスル１６ｂが、植毛台１１に、植毛台１１の長手方向Ｘから見て１０〜１５ｍｍの広い幅の領域Ｂ（幅領域、図３参照）に植毛されていることが好ましい。これによって、ブラッシング時の歯ブラシ１０によるブラシ面に、上顎の歯の際と下顎の歯の際に跨ることが可能な相当の広さの幅領域Ｂを確保して、歯ブラシ１０を大きなストロークで歯列に沿って動かして、複数の歯をまとめ磨きする際に、上下の歯を同時に効率良く刷掃することが可能になる。
【００５８】
このような観点から、植毛台１１に植毛されたテーパーブリッスル１６ａ及び支持ブリッスル１６ｂの、植毛台１１の長手方向Ｘから見た幅領域Ｂは、１１〜１３ｍｍとなっていることがより好ましい。
【００５９】
そして、上述の構成を備える本実施形態の歯ブラシ１０によれば、大きなストロークで歯列に沿って直線状に動かして、複数の歯をまとめ磨きする場合でも、歯面部、及び歯間部や歯と歯茎の境目部分に、磨き残しが生じるのを効果的に抑制することが可能になる。
【００６０】
すなわち、本実施形態の歯ブラシ１０によれば、先端に向かって断面積が減少するテーパー形状部分を先端側に備える複数本のテーパーブリッスル１６ａと、テーパーブリッスル１６ａよりも低い毛丈の複数本の支持ブリッスル１６ｂとが、植毛台１１に設けられた複数の植毛穴１４ａ，１４ｂに植毛されており、支持ブリッスル１６ｂの先端を連ねた仮想の支持ブラシ面１８ｂが、植毛台１１の短手方向Ｙから見て、植毛台１１の長手方向Ｘの中央部分に谷部が形成された凹形状を有しているので、形成された凹形状により、湾曲する歯列の連設している歯面に沿って、歯ブラシ１０のブラシ面１８ａ，１８ｂが当たりやすくなる。これによって、大きなストロークで歯列に沿って歯ブラシ１０を直線状に繰り返し動かして、複数の歯をまとめ磨きする場合でも、特に歯面部に磨き残しが生じるのを、効果的に抑制することが可能になる。
【００６１】
また、支持ブリッスル１６ｂは、植毛穴１４ｂ側の基端部から、テーパーブリッスル１６ａのテーパー開始部１７ａを超える高さまで、柱状の形状を備えるブリッスルとなっており、テーパーブリッスル１６ａは、植毛台１１に分散配置されて、支持ブリッスル１６ｂに混在した状態で植毛されているので、テーパーブリッスル１６ａが支持ブリッスル１６ｂと隣接している割合が高くなっている。これによって、歯ブラシ１０による刷掃時に、図５に示すように、支持ブリッル１６ｂがブリッスル１６ａを逃がさないように抱え込むことが可能になる。また、テーパーブリッスル１６ａの植毛高さが支持ブリッスル１６ｂの植毛高さよりも高くなっていることで、テーパーブリッスル１６ａのテーパー形状部分１７の先細りの毛先部分のみを、テーパーブリッスル１６ａが抱え込まれた支持ブリッスル１６ｂの上端部から突出させた状態で、歯を刷掃することが可能になる。これによって、テーパーブリッスル１６ａのテーパー形状部分１７が撓むのを効果的に抑制して、テーパー形状部分１７の先細りの毛先部分を歯にしっかりと当てることが可能になるので、大きなストロークで歯列に沿って歯ブラシ１０を直線状に繰り返し動かして、複数の歯をまとめ磨きする場合でも、歯間部や歯と歯茎の境目部分の奥まで毛先を届かせることで、これらの部分に磨き残しが生じるのを効果的に抑制することが可能になる。
【００６２】
また、本実施形態の歯ブラシ１０によれば、テーパー毛束１５ａやテーパーブリッスル１６ａの数が適度に多く、かつ、テーパー毛束１５ａを囲むようにして支持毛束１５ｂが配置されると共に、テーパー毛束１５ａが分散して配置されている。これによって、テーパー毛束１５ａと支持毛束１５ｂが交差しながら、一体となってテーパー毛束１５ａを支持することになる。またこれによって、テーパーブリッスル１６ａが必要以上に広がることを防止し、テーパーブリッスル１６ａの毛先部分が束となることで、複数の歯をまとめ磨きする場合でも、歯間部や歯と歯茎の境目部分の奥まで毛先を届かせやすくなって、これらの部分に磨き残しが生じるのを効果的に抑制することが可能になる。
【００６３】
なお、本発明は上記実施形態に限定されることなく種々の変更が可能である。例えば、複数のテーパー毛束と複数の支持毛束とが、別々の毛束として、複数の植毛穴に各々植設されていることにより、テーパーブリッスルが、支持ブリッスルに混在した状態で植毛されている必要は必ずしも無く、一部又は全部の毛束を、テーパーブリッスルと支持ブリッスルとを混在させた毛束として、これらの毛束を複数の植毛穴に植設することで、テーパーブリッスルが、支持ブリッスルに混在した状態で植毛されるようにすることもできる。テーパーブリッスルや支持ブリッスルが植毛される植毛穴は、植毛台に千鳥状に配置されている必要は必ずしも無く、格子状等のその他の形状に配置されていても良い。植毛穴の開口形状は、円形の他、楕円形やトラック円形等のその他の種々の形状であっても良い。支持ブリッスルの毛先の加工は、ラウンド形状、フラット形状、ヘラ形状、球状の他、テーパーブリッスル１６ａのテーパー形状よりも緩い、具体的には１ｍｍ以内の高さの範囲のテーパー形状等が挙げられ、ラウンド形状、又は球状に加工されていることが好ましい。テーパーブリッスルや支持ブリッスルの植毛台の表面における基端部の断面形状は、円形、矩形、楕円等であっても良いが、好ましくは円形である。
【実施例】
【００６４】
以下、実施例及び比較例により、本発明の歯ブラシをさらに詳細に説明するが、本発明は、以下の実施例及び比較例の記載によって何ら制限されるものではない。
【００６５】
〔実施例１〜実施例５の歯ブラシ〕
テーパーブリッスル及び支持ブリッスルの全体の本数に対するテーパーブリッスルの本数の割合であるテーパーブリッスル率と、先端側植毛領域に植毛されたブリッスルの基端側植毛領域に植毛されたブリッスルに対する傾倒角度θと、植毛台の先端側植毛領域の基端側植毛領域に対する傾斜角度θ’と、仮想想のテーパーブラシ面及び仮想の支持ブラシ面の凹形状の谷部の内角θ”とが表１に示すような値となっている、表１の図の欄に示す形態の歯ブラシを、実施例１〜実施例５の歯ブラシとした。表１の図の欄の平面図において、黒丸はテーパーブリッスルを束ねて形成されるテーパー毛束を、白丸は支持ブリッスルを束ねて形成される支持毛束を各々示している。
【００６６】
【表１】
2017213221.tif 000003
【００６７】
〔比較例１〜比較例３の歯ブラシ〕
テーパーブリッスル率と、先端側植毛領域に植毛されたブリッスルの傾倒角度θと、植毛台の先端側植毛領域の傾斜角度θ’と、仮想想のテーパーブラシ面及び仮想の支持ブラシ面の谷部の内角θ”がと表２に示すような値となっている、表２の図の欄に示す形態の歯ブラシを、比較例１〜比較例３の歯ブラシとした。表１の図の欄の平面図において、黒丸はテーパーブリッスルを束ねて形成されるテーパー毛束を、白丸は支持ブリッスルを束ねて形成される支持毛束を各々示している。
【００６８】
【表２】
2017213221.tif 000004
【００６９】
実施例１〜実施例３の歯ブラシ、及び比較例１の歯ブラシについて、図６に示すブラッシングマシーンを用いた以下の方法によって、歯列への密着性を評価した。また、実施例１、実施例４、実施例５の歯ブラシ、及び比較例２、比較例３の歯ブラシについて、同様のブラッシングマシーンを用いた以下の方法によって、歯列における汚れの落ち方を評価した。
【００７０】
〔歯列への密着性の評価〕
歯列モデルとして、Ｒ３２の曲面プレートの表面に、ビデイテープを貼り付けて、ビデオテープ磁性層を形成したものを使用した。図６（ａ）に示すように、ブラッシングマシーンを用いて、実施例１〜実施例３の歯ブラシ、及び比較例１の歯ブラシにより、歯列モデルの表面を刷掃した。刷掃荷重を２００ｇｆ、振幅を１５ｍｍ、刷掃速度を１２０ｒｐｍ、刷掃回数を２０００回とし、歯磨剤として、商品名「ガードハローＣ」（花王株式会社製）を使用した。歯列モデルの表面からビデオテープ磁性層が剥離した状況を観察した。また、実施例１の歯ブラシによるビデオテープ磁性層の剥離面積を１００％とし、その他の歯ブラシについて剥離面積相対値（％）を算出した。これらによって、歯列への密着性を評価した。評価結果を図７に示す。
【００７１】
〔歯列における汚れの落ち方の評価〕
歯列モデルとして、犬歯から第２大臼歯までの顎模型の表面に、ホワイトボード用赤インクを塗布したもの（図８参照）を使用した。ブラッシングマシーンを用いて、実施例１、実施例４、実施例５の歯ブラシ、及び比較例２、比較例３の歯ブラシにより、歯列モデルの表面を刷掃した。刷掃荷重を３００ｇｆ、振幅を３０ｍｍ、刷掃速度を９０ｒｐｍ、刷掃回数を５回とし、歯磨剤は使用しなかった。図８に示す顎模型の歯面部について、比較例２の歯ブラシによるホワイトボード用赤インクの剥離面積を１００％として、その他の歯ブラシによるモデル除去率相対値（％）を算出すると共に、図８に示す顎模型の歯間部について、実施例５の歯ブラシによるホワイトボード用赤インクの剥離面積を１００％として、その他の歯ブラシによるモデル除去率相対値（％）を算出した。これらによって、歯列における汚れの落ち方の評価を評価した。評価結果を図９（ａ）に示す。また、ブラッシングマシーンを用いて、実施例１の歯ブラシ及び比較例３の歯ブラシにより顎模型の歯列モデルの表面を刷掃した際の、ホワイトボード用赤インクが剥離した状況（図９（ｂ）参照）を観察した。
【００７２】
図７に示す歯列への密着性の評価結果によれば、本発明に係る実施例１〜実施例３の歯ブラシは、いずれも歯列への密着性が高いことが判明する。  図９（ａ）、（ｂ）に示す歯列における汚れの落ち方の評価結果によれば、本発明に係る実施例１、実施例４、実施例５の歯ブラシは、いずれも歯面部と歯間部の除去性能が両立できていることが判明する。
【符号の説明】
【００７３】
１０  歯ブラシ
１１  植毛台
１１ａ  植毛面
１２  把持部
１３  首部
１４ａ  テーパー植毛穴
１４ｂ  支持植毛穴
１４ｃ  仮想のテーパー植毛穴
１５ａ  テーパー毛束
１５ｂ  支持毛束
１６ａ  テーパーブリッスル
１６ｂ  支持ブリッスル
１７  テーパー形状部分
１７ａ  テーパー開始部
１８ａ  仮想のテーパーブラシ面
１８ｂ  仮想の支持ブラシ面
１９  先端球状部
２０  先端側植毛領域
２１  基端側植毛領域
３０  植毛台の内側領域
Ｘ    植毛台の長手方向
Ｙ    植毛台の短手方向
Ｂ    テーパーブリッスル及び支持ブリッスルが植毛される幅領域
θ    傾倒角度
θ’  傾斜角度
θ”  凹形状の谷部の内角
【図１】
2017213221.tif 000005
【図２】
2017213221.tif 000006
【図３】
2017213221.tif 000007
【図４】
2017213221.tif 000008
【図５】
2017213221.tif 000009
【図６】
2017213221.tif 000010
【図７】
2017213221.tif 000011
【図８】
2017213221.tif 000012
【図９】
2017213221.tif 000013